(57)【要約】【課題】背側装着する際の装着性に優れており、しかも着用者が装着中に動きやすい、前後どちらからでも装着が容易なおむつを提供すること。【解決手段】立体ギャザー及びレッグギャザーを備え、股間幅の最小値Ｗ１と、長手方向におけるファスニングテープを有する側の部位のおむつ全幅Ｗ２との比（Ｗ１／Ｗ２）が０．３０〜０．７５であり、股間幅が最小値を示す部位が、おむつ全長を２等分する中央線から長手方向両端方向に各々おむつ全長の１０％ずつまでに亘る領域内に存在しており、股下部両側の凹欠部の側縁のおむつ長手方向の中点Ｐを通るおむつ長手方向仮想直線Ｌ１と、該直線Ｌ１に直交し、該各凹欠部の側縁における端部Ｑを通るおむつ幅方向仮想直線Ｌ２と、該各凹欠部の側縁とで囲まれた領域の面積Ｓ１と、前記直線Ｌ１、前記直線Ｌ２及び仮想直線Ｌ３に囲まれた領域の面積Ｓ２との比（Ｓ１／Ｓ２）が０．４５〜０．６０である、おむつ。【選択図】　　図３
2004105698.tif 000002
【特許請求の範囲】
【請求項１】
液透過性の表面シート、液不透過性の裏面シート及び両シート間に介在された液保持性の吸収体を備え、長手方向の一方の部位の両側縁部にファスニングテープが設けられており、長手方向の両側に、立体ギャザー及びレッグギャザーが形成されているおむつであって、
股下部の股間幅の最小値Ｗ１と前記一方の部位のおむつ全幅Ｗ２との比（Ｗ１／Ｗ２）が０．３０〜０．７５であり、
前記股間幅の最小値を示す部位が、おむつを長手方向に２等分する中央線から長手方向両端方向に、各々おむつ全長の１０％ずつまでに亘る領域内に存在し、
股下部両側の凹欠部の側縁のおむつ長手方向の中点Ｐを通るおむつ長手方向仮想直線Ｌ１と、該直線Ｌ１に直交し、該各凹欠部の側縁における前記一方の部位側の端部Ｑを通るおむつ幅方向仮想直線Ｌ２と、該各凹欠部の側縁とで囲まれた領域の面積Ｓ１と、該直線Ｌ１と、該直線Ｌ２と、該中点Ｐ及び該端部Ｑを結ぶ仮想直線Ｌ３に囲まれた領域の面積Ｓ２との比（Ｓ１／Ｓ２）が０．４５〜０．６０である、前後どちらからでも装着が容易なおむつ。
【請求項２】
前記一方の部位の左右両側のサイドフラップ部それぞれにおける、前記ファスニングテープ間に位置する領域に、おむつ幅方向に弾性伸縮するサイド伸縮部が形成されている請求項１記載の、前後どちらからでも装着が容易なおむつ。
【請求項３】
前記股間幅の最小値を示す部位における前記立体ギャザーの固定端から前記股下部の凹欠部の側縁までの距離Ｗ３は、前記おむつ全幅Ｗ２に対する比（Ｗ３／Ｗ２）が０．１〜０．２である請求項１又は２記載の、前後どちらからでも装着が容易なおむつ。
【請求項４】
前記股間幅の最小値Ｗ１が１００〜２４０ｍｍである請求項１〜３の何れか記載の、前後どちらからでも装着が容易なおむつ。
【請求項５】
前記ファスニングテープ間における、着用時に着用者の両側部に配される部分に、おむつ破断用手段を設けた請求項１〜４の何れか記載の、前後どちらからでも装着が容易なおむつ。
【請求項６】
前記ファスニングテープの先端部に折り返し部を設けた請求項１〜４の何れか記載の、前後どちらからでも装着が容易なおむつ。
【発明の詳細な説明】
【０００１】
【発明の属する技術分野】
本発明は、背側装着する際の装着性に優れており、しかも着用者が装着中に動きやすい、前後及び立位いずれからでも装着が容易なおむつに関する。
【０００２】
【従来の技術及び発明が解決しようとする課題】
従来、使い捨ておむつとして、ファスニングテープを有する展開型の使い捨ておむつと、予めパンツ型に形成されたパンツ型の使い捨ておむつが知られており、展開型の使い捨ておむつは、新生児から使用できることや、製造コストが安いこと等から、最も一般的に用いられている。
【０００３】
しかし、従来の展開型使い捨ておむつは、静かに仰向けに寝ている状態（以下、寝位ともいう）の赤ちゃんや幼児等の被装着者（装着対象者）に対しては容易に装着できるが、活動が活発になって、その装着をいやがったりする場合、例えば、はいはいをして逃げ回ったりする場合には、その装着が容易ではない。
現在、歩行できるようになった幼児用にはパンツ型おむつが販売されているが、はいはいからつかまり立ちの過渡期にあるような乳幼児に適当なおむつは市販されていないのが現状である。また、つかまり立ちができるようになっても、幼児自ら片足ずつを上げることは難しいので、パンツ型おむつをはかせることは現実的に困難である。
そこで、発明者らは、従来の腹側で止着する展開型おむつを装着する向きを逆にして、ファスニングテープが設けられた部位、即ち本来背側に配されるべき部位を、着用者の腹側に位置させて装着することを検討したが、従来の展開型の使い捨ておむつにおいては、腹側で止着する場合に比べて吸収性能が発揮できずに着用中に尿漏れが生じ易くなる、また装着し難いという問題がある。
【０００４】
一方、着用者の背側でファスニングテープを止着させる目的のおむつが特許文献１に提案されている。これはおむつ本体の側部に弾性耳片とこれに固定したファスニングテープを有する構造のおむつであり、背側で止着するには従来のおむつに比べて装着し易さが改善されている。しかし、ファスニングテープを有するいわゆる展開型のおむつは前側で止着する場面も多く、後側で止着する場合だけを考慮した設計では本来の前側で止着する場合での装着し易さ、吸収性能及び漏れ防止性能が犠牲とならざるを得ない。前記公報の発明は、動きの激しくなった幼児に適用すべく背側のみで止着する設計となっており、前側で止着する場合については考慮されていない。従って、腹側・背側どちらで止着しても装着性や吸収性能を十分に満足できるおむつは未だ提案されていなかった。
【０００５】
従って、本発明の目的は、背側装着する際の装着性に優れており、しかも着用者が装着中に動きやすい、前後どちらからでも装着が容易なおむつを提供することにある。
ここで、前後どちらからでも装着が容易とは、腹側装着及び背側装着の何れの場合にも容易に装着できることをいう。
【０００６】
【特許文献１】
特開平６−６３０７７号
【０００７】
【課題を解決するための手段】
本発明は、液透過性の表面シート、液不透過性の裏面シート及び両シート間に介在された液保持性の吸収体を備え、長手方向の一方の部位の両側縁部にファスニングテープが設けられており、長手方向の両側に、立体ギャザー及びレッグギャザーが形成されているおむつであって、股下部の股間幅の最小値Ｗ１と前記一方の部位のおむつ全幅Ｗ２との比（Ｗ１／Ｗ２）が０．３０〜０．７５であり、前記股間幅の最小値を示す部位が、おむつを長手方向に２等分する中央線から長手方向両端方向に、各々おむつ全長の１０％ずつまでに亘る領域内に存在し、股下部両側の凹欠部の側縁のおむつ長手方向の中点Ｐを通るおむつ長手方向仮想直線Ｌ１と、該直線Ｌ１に直交し、該各凹欠部の側縁における前記一方の部位側の端部Ｑを通るおむつ幅方向仮想直線Ｌ２と、該各凹欠部の側縁とで囲まれた領域の面積Ｓ１と、該直線Ｌ１と、該直線Ｌ２と、該中点Ｐ及び該端部Ｑを結ぶ仮想直線Ｌ３に囲まれた領域の面積Ｓ２との比（Ｓ１／Ｓ２）が０．４５〜０．６０である、前後どちらからでも装着が容易なおむつを提供することにより、前記目的を達成したものである。
【０００８】
【発明の実施の形態】
以下、本発明を、その好ましい一実施形態に基づいて詳細に説明する。
本発明の一実施形態としての使い捨ておむつ１は、図１及び図２に示すように、液透過性の表面シート２、液不透過性の裏面シート３、及び両シート間に介在された液保持性の吸収体４を備えている。使い捨ておむつ１は、幼児用の展開型の使い捨ておむつであり、長手方向の中央部に股下部Ａを有しており、長手方向における該股下部Ａの前後に、両側縁部に一対のファスニングテープ５が設けられた第１部（長手方向の一方の部位）Ｂ及び外表面にファスニングテープ５を止着するランディングゾーン５１が設けられた第２部Ｃを有している。股下部Ａは、着用時に着用者（被装着者）の股下部（股間部）に配される。
【０００９】
本実施形態の使い捨ておむつ１は、股下部Ａの両側縁が円弧状に形成されており、全体として、長手方向中央部が括れた砂時計状の形状を有している。
表面シート２は、吸収体４よりも外形寸法の大きい略矩形状の平面視形状を有しており、裏面シート３の幅方向中央部に配されている。裏面シート３は、おむつの外形形状に一致する砂時計状の外形を有している。
表面シート２及び裏面シート３は、それぞれ、吸収体４の両側縁４１，４１及び両端縁４２ａ，４２ｂから外方に延出しており、それらの延出部において互いに接合されている。裏面シート３の長手方向の両側部は、表面シート２の両側縁から幅方向外方に延出している。
【００１０】
本使い捨ておむつ１における長手方向の両側には、一対の立体ギャザー６，６及び一対のレッグギャザー７，７が、各々弾性部材を配設することによって形成されている。
より詳細には、一対の立体ギャザー６は、それぞれ、弾性部材６１を有する立体ギャザー形成用のシート材６２を、表面シート２の両側縁の外方から内方に亘るように配設して形成されている。各シート材６２は、吸収体４の側縁４１と後述するレッグ部弾性部材７１との間において、ヒートシール、接着剤等の公知の接合手段により、おむつ長手方向に亘って直線状に表面シート２上に固定されており、その直線状の固定部により立体ギャザー６の固定端６４が形成されている。各シート材６２は、前記固定端６４よりも幅方向外方に位置する部分が表面シート２又は裏面シート３上に固定されており、また、おむつの長手方向両端部近傍における該固定端６４よりもおむつ幅方向中央側に位置する部分が表面シート２上に固定されている。各立体ギャザー６に配設された弾性部材６１は、それぞれ糸状の形態を有し、各立体ギャザー６の自由端６３と略平行に複数本配されている。
【００１１】
一対のレッグギャザー７は、おむつ幅方向における、立体ギャザー６，６の固定端６４の位置よりも更に外側に、複数本のレッグ部弾性部材７１，７１を、略直線状に配設して形成されている。
前記弾性部材６１及び前記レッグ部弾性部材７１は、何れも使い捨ておむつ１の長手方向に沿って配設されており、また、第１部Ｂと第２部Ｃとの間に亘って配設されている
【００１２】
本使い捨ておむつ１における第１部Ｂのウエスト部Ｄには、ウエスト部弾性部材８１が配設されてウエスト伸縮部８が形成されており、ウエスト部Ｄは、着用時に着用者の腰回りに配される部分であり、おむつの長手方向の両端部分を構成している。本実施形態のおむつ１においては、第１部Ｂ及び第２部ＣそれぞれにおけるウエストＤに、ウエスト部弾性部材８１が配設されてウエスト伸縮部８が形成されている。
【００１３】
本使い捨ておむつ１においては、第１部（前記一方の部位）Ｂの左右両側のサイドフラップ部それぞれにおける一対のファスニングテープ５，５同士間に位置する領域に、おむつ幅方向に弾性伸縮するサイド伸縮部９，９が形成されている。
サイドフラップ部とは、吸収体４の両側縁４１，４１の位置よりもおむつ幅方向外方に位置する部位である。ファスニングテープ５，５同士間の領域は、おむつ本体部分内に固定されたファスニングテープの固定部分５２，５２（図１参照）同士間に挟まれた領域である。
【００１４】
サイド伸縮部９，９は、おむつ幅方向両側に非連続的に形成されている。即ち、ファスニングテープ５，５同士間の領域におけるおむつ幅方向中央部には、おむつ幅方向に弾性伸縮する伸縮部が形成されていない。
より詳細には、胴回り部弾性部材９１は、少なくとも吸収体４の両側縁４１，４１の位置よりも幅方向外方の部位に弾性伸縮性が発現されるように伸張状態で固定されており且つ該吸収体４の両側縁４１，４１の位置よりも幅方向内方の部位における少なくとも中央部には配設されていない。また、各胴回り部弾性部材９１は、表面シート２、裏面シート３及び吸収体４を備え、股下部Ａ、第１部Ｂ及び第２部Ｃを有する本体部分１０におけるシート間に固定されている。具体的には、第１部Ｂの幅方向に亘って配された２枚の柔軟な固定用シート間に挟持固定された状態で配されており、２枚の該固定用シートは、裏面シート３又は吸収体４と、表面シート２又は前記シート材６２との間に接着固定されている。各胴回り部弾性部材９１のおむつ幅方向内方側の端部は、吸収体４の両側縁４１の位置よりも幅方向内側に若干入る程度の位置にあり、吸収体４の幅方向中央部から左右両側縁４１，４１の近傍にかけての領域には、胴回り部弾性部材９１が配されていない。各サイド伸縮部９おける複数本の胴回り部弾性部材９１は、長手方向に所定の間隔を置いて、それぞれ幅方向に亘って略平行に配されている。
【００１５】
本使い捨ておむつ１は、股下部の股間幅の最小値Ｗ１（図１，２参照）と第１部Ｂ（前記一方の部位）のおむつ全幅Ｗ２（図１参照）との比（Ｗ１／Ｗ２）が０．３０〜０．７５、好ましくは０．３０〜０．７２、特に好ましくは０．３０〜０．７０である。
股下部の股間幅の最小値Ｗ１は、図１に示すように使い捨ておむつ１を平面状に拡げた状態（緊張状態）下に、おむつ幅方向に沿って測定した、股下部両側の凹欠部の両側縁１１，１１同士間の距離Ｗ（以下、股下部の幅ともいう）の最小値である。
前記比（Ｗ１／Ｗ２）が０．３０未満であると、全巾と股間巾との差が大きいのでバランスが悪くおむつが股間に沿いにくく、前記比（Ｗ１／Ｗ２）が０．７５超であると、背側装着時に股ぐりに沿いにくい。また、該比を０．７０以下とすると、寝位（背側装着及び腹側装着）では股ぐりに沿い易く、かつ立位で装着する際は引き上げ易い。
【００１６】
本発明では、おむつを長手方向に２等分（全長を２等分）する中央線ＣＬから長手方向両端方向に、各々おむつ全長Ｌ（図１参照）の１０％の長さに亘る領域Ｒ（図１参照）の中に、前記股下部の股間幅の最小値Ｗ１を示す部位が存在している。そして、前記領域Ｒ外では端部Ｑに向かって股間幅は増加する。本実施形態のおむつ１においては、中央線ＣＬ（図１参照）上において股下部の幅（前記距離Ｗ）が最も狭くなっている。
尚、前記股間幅の最小値Ｗ１は１００〜２４０ｍｍであることが、はいはいで逃げる子供や立っている子供の股間に挿入し易くなり好ましく、特に１２０〜２３０ｍｍ、とりわけ１２０〜２００ｍｍであることが、背側装着と立位装着のし易さの両立と同時に高い漏れ防止性能が達成できるので好ましい。
【００１７】
本使い捨ておむつ１は、図３に示すように、股下部両側の凹欠部の側縁１１のおむつ長手方向の中点Ｐを通るおむつ長手方向仮想直線Ｌ１と、該直線Ｌ１に直交し、該各凹欠部の側縁１１における第１部Ｂ（前記一方の部位）側の端部Ｑを通るおむつ幅方向仮想直線Ｌ２と、該各凹欠部の側縁１１とで囲まれた領域Ｓの面積Ｓ１と、前記直線Ｌ１と、前記直線Ｌ２と、前記中点Ｐ及び前記端部Ｑを結ぶ仮想直線Ｌ３に囲まれた領域（直角三角形状の領域）の面積Ｓ２との比（Ｓ１／Ｓ２）が０．４５〜０．６０であり、好ましくは０．４５〜０．５５、特に好ましくは０．４５〜０．５２である。
本実施形態においては、凹欠部の側縁１１のおむつ長手方向の中点Ｐは、股下部の幅（前記距離Ｗ）が最小となる部位における凹欠部の側縁１１上の点であり、前記中央線ＣＬ（図１参照）上にある。これによって腹側装着と背側装着いずれの場合でも装着し易く、装着後には漏れにくいという効果が奏される。
前記比（Ｓ１／Ｓ２）が０．４５未満であると、前側で装着した場合臀部が露出してしまい、前記比（Ｓ１／Ｓ２）が０．６０超であると、背側で装着した際、当てづらく、装着中着用者も動きにくい。
【００１８】
本実施形態の使い捨ておむつ１においては、ランディングゾーンが設けられた第２部Ｃ側のフラップにおいても同様な関係が成立する。即ち、股下部両側の凹欠部の側縁１１のおむつ長手方向の中点Ｐを通るおむつ長手方向仮想直線Ｌ１と、該直線Ｌ１に直交し、該各凹欠部の側縁１１における第２部Ｃ（前記他方の部位）側の端部Ｒを通るおむつ幅方向仮想直線Ｌ４と、該各凹欠部の側縁１１とで囲まれた領域Ｔの面積Ｓ３と、前記直線Ｌ１と、前記直線Ｌ４と、前記中点Ｐ及び前記端部Ｒを結ぶ仮想直線Ｌ５に囲まれた領域（直角三角形状の領域）の面積Ｓ４との比（Ｓ３／Ｓ４）が０．４５〜０．６０であり、好ましくは０．４５〜０．５５、特に好ましくは０．４５〜０．５２である。そして、第１部Ｂと第２部Ｃとでは、Ｓ１／Ｓ２とＳ３／Ｓ４との比が０．９〜１．１、特に１であると、本発明の効果がより一層高められるので好ましい。
【００１９】
本実施形態のおむつ１は、股間幅の最小値Ｗ１を示す部位（中央線ＣＬと重なる部位）における立体ギャザー６の固定端６４から股下部の凹欠部の側縁１１までの距離Ｗ３（図２参照）の、おむつ全幅Ｗ２に対する比（Ｗ３／Ｗ２）が０．１〜０．２である。こうすることによって、はいはいや立って逃げる子供の股間部に素早くおむつを挿入でき、その際に、股間部における吸収体側縁からおむつ幅方向に延出するレッグフラップ部分がよれたりすることも防げるので、背側装着時の漏れ防止性能が高まる。前記距離Ｗ３は、おむつ幅方向と平行に測定する。特に０．１０〜０．１５とすると、前述のサイドフラップの構成と相俟って臀部の露出が制御され、漏れ防止に有効なので好ましい。
【００２０】
本実施形態の使い捨ておむつ１によれば、Ｗ１／Ｗ２を特定の範囲とし、おむつ長手方向中央領域に股間幅の最小値を有し、かつファスニングテープが設けられた側のフラップ部の形状を、Ｓ１／Ｓ２が前記特定の範囲となる特定の形状としたことによって、おむつ本来の吸収性能や漏れ防止性能を損なうことなく、背側装着する場合の装着性を向上させることができる。
即ち、従来のおむつにおける股下部の幅を単に狭くした場合には、おむつ本来の吸収性能や漏れ防止性能を損なうことになるが、本実施形態においては、股間幅をフラップとの関係において特定の幅として、かつフラップ部の形状を特定の形状とすることによって、前後どちらからでも装着が容易で、しかも吸収性能や漏れ防止性能が維持されるようにしてある。しかも、その特定形状によって、立位状態の被装着者における狭い股間部（両脚間の空間）にもおむつをスムーズに当てることができ、立位状態やハイハイしている状態の被装着者に対して容易に装着することができる。特にそのような状態の被装着者に対して背側装着する場合〔図４（ａ）参照〕、ファスニングテープが設けられた側のフラップ部が前記特定の形状であれば装着中脚の動きを妨げることがないので着用者が動き易い。また、立位状態の被装着者に対して腹側装着する場合〔図４（ｂ）参照〕、臀部が必要以上に露出しないというメリットがある。
【００２１】
また、本実施形態の使い捨ておむつ１においては、左右のサイドフラップ部にサイド伸縮部９，９を形成してあるため、フラップ部を特定形状の範囲で従来の使い捨ておむつより狭くしても、サイドフラップ部の伸縮部により胴回りの伸縮性が確保されるので、おむつのズレ落ちが抑制され、臀部の露出が抑制される。更に、漏れも抑制される。
【００２２】
尚、本実施形態の使い捨ておむつ１は、おむつを長手方向に２等分する中央線ＣＬ（図１参照）の両側の飽和吸収容量、即ち中央線ＣＬの両側に位置する両部分Ｆ，Ｇの飽和吸収容量の比（部分Ｆ／部分Ｇ）が４５／５５〜５５／４５であり、そのため、背側装着した場合においても尿漏れが生じない。
即ち、本実施形態の使い捨ておむつ１は、腹側装着及び背側装着の何れの方法でも容易に装着することができ、何れの場合において漏れが生じない。装着の向きを問わずに尿漏れが生じないようにする観点から、前記飽和吸収容量の比（部分Ｆ／部分Ｇ）は４８／５２〜５２／４８であることが好ましく、両部分の飽和吸収容量は、両者の差が小さい程好ましい。
【００２３】
ここで、おむつの長手方向中央線ＣＬの両側の飽和吸収容量は、以下のようにして測定される。
〔飽和吸収容量の測定方法〕
先ず、おむつ１を、その長手方向を２等分する長手方向中央線ＣＬで、幅方向に切断する。そして、立体ギャザー及びレッグギャザーを切断して除去する。更に、胴回り部に配された配された伸縮部を切断する。但し、吸収層の構造が破壊又は切断されることがないように留意する。容器から水平に取り出せるように加工した金網に、切断したおむつを載せ、金網ごと重量を測定する。予め側面下部に溶液を排出する開口部を設けた容器内に金網ごとおむつを入れ、排出開口部を閉じ、０．９重量％の生理食塩水を吸収体が完全に浸漬するように注入する。このときに、おむつの切断端部からポリマー等が脱落しないように注入速度を調節する。完全浸漬後３０分放置する。その後、排出開口部を下側にして容器ごと１０度傾け、排出開口部を開き、容器内の溶液を排出する。排出が完全に終了するまで３０分放置し、その後、容器から金網ごとおむつを取り出し、金網ごと重量を測定する。「試験終了後の重量」−「試験開始前の重量」からおむつの吸収量を算出し、この値を飽和吸収量（ｇ）とする。
【００２４】
本実施形態の使い捨ておむつ１における各部の形成材料について説明する。
表面シート２、裏面シート３、吸収体４、及び立体ギャザー形成用のシート材６２、ランディングゾーン５１形成用のランディングテープ等の形成材料としては、従来、使い捨ておむつに用いられている各種公知の材料を特に制限なく用いることができる。
【００２５】
ファスニングテープ５は、機械的面ファスナーのオス部材からなる止着部５ａを有するものでも、粘着剤を塗布して形成した粘着部を有するものでも良い。また、裏面シート３の外表面側を係合性に富む素材により形成し、それをランディングゾーン５１として利用することもできる。
【００２６】
立体ギャザー形成用の弾性部材６１、レッグ部弾性部材７１、ウエスト部弾性部材８１及び胴回り部弾性部材９１としては、それぞれ各種公知の弾性部材を用いることができ、例えば、各弾性部材の形態としては、糸状のもの（糸ゴム等）、所定幅の帯状のもの（平ゴム等）、薄膜状のもの等を挙げることができ、弾性部材の形成素材としては、天然ゴムの他、スチレン−ブタジエン、ブタジエン、イソプレン、ネオプレン等の合成ゴム、ＥＶＡ、伸縮性ポリオレフィン、ウレタン等を挙げることができる。
【００２７】
以上、本発明の好ましい一実施形態について説明したが、本発明は、上述した実施形態に制限されず、本発明の趣旨を逸脱しない範囲で種々変更が可能である。
【００２８】
例えば、図５に示すように、着用時に着用者の両側部に配される部分に、おむつ破断用のミシン目１２（一方のみ図示）を設けることができる。斯かるミシン目１２を設けることで、背側装着した場合のおむつ取り外しの問題を解決することができる。
即ち、使い捨ておむつを背側装着した場合には、大便後に着用者をうつぶせにして、これを取り外そうとすると、大便が着用者の腹側に移動して、着用者の排尿部ないし性器を不必要に汚すことになる。そのため、通常、仰向けの状態として取り外すことになるが、その場合には、図５に示すように、ファスニングテープ５が着用者の下側に位置するため、ファスニングテープ５の摘んで引き剥がすのに労力を要する。
おむつ破断用のミシン目１２を設けて、おむつの両側部を容易に破断できるようにすることによって、排尿部や性器に大便が付着することを防止しつつ、おむつを容易に取り外すことができる。おむつ破断用のミシン目の構成や設ける部位は、斯かる目的を達成できる限り制限されない。
【００２９】
また、図６に示すように、ファスニングテープ５の先端部に折り返し部５３を設けることもできる。図６に示す折り返し部５３は、テープの先端部を、テープの止着部５１ａを設けた面とは反対側に折り返して形成されており、その折り返し部５３は、テープ引き剥がしの際に、その折り返し部を摘むことができるように、その対向面に粘着剤を介して剥離可能に接着してある。斯かる折り返し部を設けることにより、背側装着した使い捨ておむつを、着用者を仰向けの状態として取り外すような場合であっても、ファスニングテープを摘んでランディングゾーンから引き剥がすことが容易となる。折り返し部は、対向面に剥離可能に接着されている必要はなく、例えばテープの先端部を折り返して折り癖を付けただけのものであっても良い。
尚、おむつ破断用のスリット及びファスニングテープ先端の折り返し部は、それぞれ、上記実施形態の使い捨ておむつのみならず、背側装着可能な他の構成を有する使い捨ておむつに適用することもできる。但し、上述した実施形態の使い捨ておむつにおける一又は二以上の構成要件を具備する使い捨ておむつに適用することが好ましい。
本発明の使い捨ておむつは、幼児（ベビー）用の使い捨ておむつ、特におむつ換えを嫌がる幼児に適している。
【００３０】
【実施例】
＜実施例１，比較例１〜３＞
図１及び図２に示す形態の使い捨ておむつを製造した。
但し、各使い捨ておむつは、各部の寸法、面積、比等が表１に示す通りとなるように製造した。
【００３１】
＜性能評価＞
実施例及び比較例の使い捨ておむつについて、背側装着の容易性（立位状態にて装着）、着用者の脚の動き易さ及び動的股漏れ性能をそれぞれ下記の方法で評価した。結果を表１に示した。
１）背側装着の容易性
〔装着のし易さの評価〕
装着方法は幼児モデルを立たせておいて、紙おむつのファスニングテープを着用者の背側においてランディングゾーンに止着する方法（背側装着）とし、立位における背側での装着のし易さを評価した。
（評価基準）
背側での装着においてずれることなくきちんとおへそ位置に装着できた場合、○とした。装着途中ずれておへそ下で止着せざるをえなくなった場合は×とした。
【００３２】
２）着用者の脚の動き易さ
背側装着により幼児腰部モデル（立位で両脚を前後させる歩行運動及び股間部からの人工尿の注入が可能であり、形態的に幼児の腰部を模してあるモデル）に使い捨ておむつを背側で装着し、幼児モデルの脚の動き観察した。
（評価基準）
フラップ部が脚の動きを妨げていなければ○、妨げていれば×とした。
【００３３】
３）動的股漏れ性能
〔動的股モレ評価法〕
背側装着により、幼児腰部モデル（立位で両脚を前後させる歩行運動及び股間部からの人工尿の注入が可能であり、形態的に幼児の腰部を模してあるモデル）に使い捨ておむつを装着し、下記方法で動的股モレ値を測定した。
股モレ値測定においては、先ず使い捨ておむつを上記の幼児モデルに装着し（腹側先端オヘソ位置）、１５０歩／分の歩行速度で５分間歩行運動させた。その後、歩行運動を停止し、チューブを介しておむつ５ｇ／秒の速度で８０ｇの人工尿を注入し、さらに５分間歩行運動を行なわせた。その後、モデルを横寝にし、５ｇ／秒の速度で４０ｇの人工尿を注入し、４０ｇの注入が終了した時点で漏れていないかを目視にてチェックした。漏れが生じていないものについては、更に４０ｇの人工尿の注入を行ない、この様な操作を漏れるまで繰り返した。そして尿の漏れが観察された時点における人工尿の合計注入量を動的股モレ値とした。
【００３４】
【表１】
2004105698.tif 000003
【００３５】
【発明の効果】
本発明の使い捨ておむつは、腹側及び背側の何れで装着し易く、特に、背側装着する際の装着性に優れており、しかも着用者が装着中に動きやすいものである。更に、着用者が運動する際の、股部からの排泄物漏れ防止性能が向上している。
【図面の簡単な説明】
【図１】図１は、本発明の一実施形態としての使い捨ておむつを、各部の弾性部材を伸張させ平面状に拡げた状態（緊張状態）を示す平面図である。
【図２】図２は、図１の使い捨ておむつの股下部の最小幅部分における断面（長手方向中央線ＣＬに沿う断面）を示す模式断面図である。
【図３】図３は、図１の使い捨ておむつにおけるフラップ部の形状を説明するための模式平面図である。
【図４】図４は、図１の使い捨ておむつを、立ち上がった状態の幼児に装着（立位装着）する様子を示す図であり、図４（ａ）は腹側装着、図４（ｂ）は背側装着する場合を示す図である。
【図５】図５は、本発明の他の実施形態としての使い捨ておむつを幼児に背側装着し、その幼児を仰向けに寝かした状態を示す斜視図である。
【図６】図６は、図５に示す使い捨ておむつのファスニングテープを拡大して示す図で、図６（ａ）は平面図、図６（ｂ）は（ａ）のＸ−Ｘ線断面図である。
【符号の説明】
１　　使い捨ておむつ
２　　表面シート
３　　裏面シート
４　　吸収体
５　　ファスニングテープ
６　　立体ギャザー
７　　レッグギャザー
９　　サイド伸縮部
１１　　凹欠部の側縁
【図１】
2004105698.tif 000004
【図２】
2004105698.tif 000005
【図３】
2004105698.tif 000006
【図４】
2004105698.tif 000007
【図５】
2004105698.tif 000008
【図６】
2004105698.tif 000009